(57)【要約】【課題】シールドケースに収容された電子機器へのアクセスのための開口を容易に形成できるとともに電磁シールド性を向上させることができる電気的接続構造及び画像形成装置を提供する。【解決手段】内部に電子機器を収容するシールドケースの外側から電子機器にアクセスするために形成される開口を区画する薄肉部と、薄肉部の内側の切取部を切り取るために作用される作用部と、を備え、薄肉部は、周囲に比べて厚さの薄くなったスコア線で区画され、シールドケースの内面側に形成されている。【選択図】図４
2020009867.tif 000002
【特許請求の範囲】
【請求項１】
内部に電子機器を収容するシールドケースの外側から前記電子機器にアクセスするために形成される開口を区画する薄肉部と、
前記薄肉部の内側の切取部を切り取るために作用される作用部と、を備えた、
ことを特徴とする電気的接続構造。
【請求項２】
前記薄肉部は、周囲に比べて厚さの薄くなったスコア線で区画され、前記シールドケースの内面側に形成されている、
ことを特徴とする請求項１に記載の電気的接続構造。
【請求項３】
前記薄肉部は、周囲に比べて厚さの薄くなったスコア線で区画され、前記シールドケースの外面側に形成されている、
ことを特徴とする請求項１に記載の電気的接続構造。
【請求項４】
前記作用部は、前記切取部の一端側に形成され、前記切取部に向って幅広になるように前記切取部に比べて小さく形成されている、
ことを特徴とする請求項１ないし３のいずれか１項に記載の電気的接続構造。
【請求項５】
前記作用部は、前記シールドケースの外側から内部に向って貫通する貫通孔であり、前記貫通孔の一端には折り返し部が形成され、前記折り返し部を支点として前記貫通孔の他端を引き上げることによるテコ作用によって前記切取部を切り取るように構成された、
ことを特徴とする請求項４に記載の電気的接続構造。
【請求項６】
前記作用部は、前記シールドケースの外側から内部に向って貫通する貫通孔であり、前記貫通孔の一端に切り起こし部が形成され、前記切り起こし部を基点として巻き取ることによって前記切取部を切り取るように構成された、
ことを特徴とする請求項４に記載の電気的接続構造。
【請求項７】
前記作用部を区画するためのスコア線が刻設された作用部にリベット部によってタブが固着され、前記タブのうち前記作用部の一端側が押し下げ部とされるとともに、前記リベット部を挟んで前記押し下げ部とは反対側の端部が持ち上げ部とされ、前記持ち上げ部を引き上げることによる前記タブのテコ作用によって前記押し下げ部により前記作用部を押し下げて前記切取部を切り取るように構成された、
ことを特徴とする請求項４に記載の電気的接続構造。
【請求項８】
前記作用部は、前記開口の一端側に形成された切り起こし部であり、前記切り起こし部を基点として巻き取ることによって前記切取部を切り取るように構成された、
ことを特徴とする請求項４に記載の電気的接続構造。
【請求項９】
前記切取部を切り取ることによって形成された前記開口を再度塞ぐ蓋部材を、前記開口の縁を利用して取り付けるための位置決め部が設けられている、
ことを特徴とする請求項４ないし８のいずれか１項に記載の電気的接続構造。
【請求項１０】
前記切取部の前記作用部とは反対側となる一端には、前記開口を再度塞ぐ蓋部材を取り付けるための位置決め部が設けられている、
ことを特徴とする請求項４ないし９のいずれか１項に記載の電気的接続構。
【請求項１１】
前記シールドケースは、厚さが０．５ｍｍ以下の薄板金属で形成されている、
ことを特徴とする請求項１ないし１０のいずれか１項に記載の電気的接続構造。
【請求項１２】
記録媒体を収容して送り出す給紙手段と、
像保持体とトナー像を形成する現像手段を含んでトナー像が形成される像形成手段と、
前記トナー像を前記記録媒体に転写する転写手段と、
前記転写手段によって前記記録媒体に転写された画像を定着させる定着手段と、
請求項１ないし１１のいずれか１項に記載の電気的接続構造に収容された制御装置と、を含む、
ことを特徴とする画像形成装置。
【発明の詳細な説明】
【技術分野】
【０００１】
本発明は、電気的接続構造及び画像形成装置に関する。
【背景技術】
【０００２】
その内部へのアクセスを可能とする保守用の開口部を有する金属製のケーシングと、ケーシングの開口部に対してスライド可能に取り付けられたシールドカバーとを備え、ケーシング又はシールドカバーのいずれか一方には、開口部の周辺に対応する領域に沿って、複数の金属製の突起部が一体に形成されており、一方、ケーシング又はシールドカバーのいずれか他方には、該複数の突起部との係合を可能とすると共に、弾性変位可能に形成された係合部が一体に形成されているコントローラのシールド構造が知られている（特許文献１）。
【０００３】
中央部に環状溝で囲まれた略円板形状のパネル部と、両端部を隔置しかつパネル部の外面側に形成されたスコア線によってつなぎ部が残るように区画された開口片と、開口片の外側の箇所に配置された持ち上げ部と開口片の内側の箇所に配置された押し下げ部との間に位置する取付部を介してパネル部のほぼ中央で開口片の外側の箇所に形成されたリベットに固着されたタブとを備えるステイオンタブ式の缶蓋において、開口片の形状が、タブの長手方向での開口幅よりもタブの幅方向での開口幅が大きくなる形状とされ、かつパネル部の周辺に、第一折り返し部と第二折り返し部とによって形成されている重層部が、タブの長手方向における開口片の外面側の一部を覆うように設けられている安全端付き開口容易缶蓋も知られている（特許文献２）。
【先行技術文献】
【特許文献】
【０００４】
【特許文献１】特開２００９−２２９６３６号公報
【特許文献２】特開２００２−１４５２６３号公報
【発明の概要】
【発明が解決しようとする課題】
【０００５】
本発明は、シールドケースに収容された電子機器へのアクセスのための開口を容易に形成できるとともに電磁シールド性を向上させることができる電気的接続構造及び画像形成装置を提供することを目的とする。
【課題を解決するための手段】
【０００６】
前記課題を解決するために、請求項１に記載の電気的接続構造は、
内部に電子機器を収容するシールドケースの外側から前記電子機器にアクセスするために形成される開口を区画する薄肉部と、
前記薄肉部の内側の切取部を切り取るために作用される作用部と、を備えた、
ことを特徴とする。
【０００７】
請求項２記載の発明は、請求項１に記載の電気的接続構造において、
前記薄肉部は、周囲に比べて厚さの薄くなったスコア線で区画され、前記シールドケースの内面側に形成されている、
ことを特徴とする。
【０００８】
請求項３記載の発明は、請求項１に記載の電気的接続構造において、
前記薄肉部は、周囲に比べて厚さの薄くなったスコア線で区画され、前記シールドケースの外面側に形成されている、
ことを特徴とする。
【０００９】
請求項４記載の発明は、請求項１ないし３のいずれか１項に記載の電気的接続構造において、
前記作用部は、前記切取部の一端側に形成され、前記切取部に向って幅広になるように前記切取部に比べて小さく形成されている、
ことを特徴とする。
【００１０】
請求項５記載の発明は、請求項４に記載の電気的接続構造において、
前記作用部は、前記シールドケースの外側から内部に向って貫通する貫通孔であり、前記貫通孔の一端には折り返し部が形成され、前記折り返し部を支点として前記貫通孔の他端を引き上げることによるテコ作用によって前記切取部を切り取るように構成された、
ことを特徴とする。
【００１１】
請求項６記載の発明は、請求項４に記載の電気的接続構造において、
前記作用部は、前記シールドケースの外側から内部に向って貫通する貫通孔であり、前記貫通孔の一端に切り起こし部が形成され、前記切り起こし部を基点として巻き取ることによって前記切取部を切り取るように構成された、
ことを特徴とする。
【００１２】
請求項７記載の発明は、請求項４に記載の電気的接続構造において、
前記作用部を区画するためのスコア線が刻設された作用部にリベット部によってタブが固着され、前記タブのうち前記作用部の一端側が押し下げ部とされるとともに、前記リベット部を挟んで前記押し下げ部とは反対側の端部が持ち上げ部とされ、その持ち上げ部を引き上げることによる前記タブのテコ作用によって前記押し下げ部により前記作用部を押し下げて前記切取部を切り取るように構成された、
ことを特徴とする。
【００１３】
請求項８記載の発明は、請求項４に記載の電気的接続構造において、
前記作用部は、前記開口の一端側に形成された切り起こし部であり、前記切り起こし部を基点として巻き取ることによって前記切取部を切り取るように構成された、
ことを特徴とする。
【００１４】
請求項９記載の発明は、請求項４ないし８のいずれか１項に記載の電気的接続構造において、
前記切取部を切り取ることによって形成された前記開口を再度塞ぐ蓋部材を、前記開口の縁を利用して取り付けるための位置決め部が設けられている、
ことを特徴とする。
【００１５】
請求項１０記載の発明は、請求項４ないし９のいずれか１項に記載の電気的接続構造において、
前記切取部の前記作用部とは反対側となる一端には、前記開口を再度塞ぐ蓋部材を取り付けるための位置決め部が設けられている、
ことを特徴とする。
【００１６】
請求項１１記載の発明は、請求項１ないし１０のいずれか１項に記載の電気的接続構造において、
前記シールドケースは、厚さが０．５ｍｍ以下の薄板金属で形成されている、
ことを特徴とする。
【００１７】
前記課題を解決するために、請求項１２に記載の画像形成装置は、
記録媒体を収容して送り出す給紙手段と、
像保持体とトナー像を形成する現像手段を含んでトナー像が形成される像形成手段と、
前記トナー像を前記記録媒体に転写する転写手段と、
前記転写手段によって前記記録媒体に転写された画像を定着させる定着手段と、
請求項１ないし１１のいずれか１項に記載の電気的接続構造に収容された制御装置と、を含む、
ことを特徴とする。
【発明の効果】
【００１８】
請求項１、１２に記載の発明によれば、シールドケースに収容された電子機器へのアクセスのための開口を容易に形成できるとともに電磁シールド性を向上させることができる。
【００１９】
請求項２、３に記載の発明によれば、シールドケースに容易に開口を形成することができる。
【００２０】
請求項４に記載の発明によれば、切り取り時の抵抗を小さくすることができる。
【００２１】
請求項５、６、７、８に記載の発明によれば、切り取り操作を容易化することができる。
【００２２】
請求項９、１０に記載の発明によれば、形成した開口を再度塞ぐ蓋部材を容易に取り付けるとともに電磁シールド性を向上させることができる。
【００２３】
請求項１１に記載の発明によれば、シールドケースを軽量化及び低コスト化することができる。
【図面の簡単な説明】
【００２４】
【図１】画像形成装置１の内部構成を示す断面模式図である。
【図２】制御装置が取り付けられた筐体の斜視図である。
【図３】シールドケースの一例を示す斜視図である。
【図４】（ａ）はスコア線が内面側に形成されたシールドケースの断面模式図、（ｂ）はスコア線が内面側に形成されたシールドケースの断面模式図である。
【図５】（ａ）は実施例に係る電気的接続構造の切取部と作用部を示す模式図、（ｂ）は切取部の切り取りを示す断面模式図である。
【図６】（ａ）は変形例１に係る切取部と作用部を示す図、（ｂ）は切取部の切り取りを示す断面模式図である。
【図７】（ａ）は変形例２に係る切取部と作用部を示す図、（ｂ）は切取部の切り取りを示す断面模式図である。
【図８】（ａ）は変形例３に係る切取部と作用部を示す図、（ｂ）は切取部の切り取りを示す断面模式図である。
【図９】（ａ）は変形例４に係る切取部と作用部を示す図、（ｂ）は切取部の切り取りを示す断面模式図である。
【図１０】電気的接続構造としての開口を形成して電子機器に保守時の診断機器や拡張機器を接続した状態を示す断面模式図である。
【図１１】（ａ）は比較例に係るシールドケースを示す断面模式図、（ｂ）は比較例に係るシールドケースにおける開口の一例を示す図である。
【図１２】比較例に係るシールドケースにおける電子機器へのアクセスを示す断面模式図である。
【発明を実施するための形態】
【００２５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００２６】
画像形成装置１は、制御装置１０、給紙装置２０、感光体ユニット３０、現像ユニット４０、転写装置５０、定着装置６０を備えて構成されている。画像形成装置１の上面（Ｚ方向）には、画像が記録された用紙Ｐが排出・収容される排出トレイ１ａが形成されている。
【００２７】
制御装置１０は、シールドケース１１０（図２  参照）の内部に収容され、画像形成装置１の動作を制御する画像形成装置制御部１１と、印刷処理要求に応じた画像データを準備するコントローラ部１２、露光装置ＬＨの点灯を制御する露光制御部１３等を有する。
【００２８】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、複数の発光素子（ＬＥＤ：Light  Emitting  Diode）が主走査方向に沿って線状に配列されたＬＥＤヘッドにより構成されている。
【００２９】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により横方向（Ｘ方向）に引き出された後、レジストローラ対２３のニップ部まで搬送される。
給紙装置２０の上方には、第２給紙装置２０Ａが設けられている。第２給紙装置２０Ａは、用紙搬送路２７を介して、用紙引き出し部２５により引き出された用紙Ｐをレジストローラ対２３のニップ部まで搬送する。
【００３０】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００３１】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて同様に構成され、それぞれがイエロー（Ｙ）、マゼンタ（Ｍ）、シアン（Ｃ）、黒（Ｋ）のトナー像を形成する。
【００３２】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００３３】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２、中間転写ベルト５１上に重畳して転写された各色トナー像を用紙Ｐに一括転写（二次転写）する二次転写ローラ５３から構成されている。
【００３４】
各感光体ユニット３０の感光体ドラム３１に形成された各色トナー像は、画像形成装置制御部１１により制御される高圧電源（不図示）から所定の転写電圧が印加された被給電体の一例としての一次転写ローラ５２により中間転写ベルト５１上に順次静電転写（一次転写）され、各色トナーが重畳された重畳トナー像が形成される。
【００３５】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、所定の転写電圧が印加され、レジストローラ対２３から送り出され、搬送ガイドにより案内された用紙Ｐに中間転写ベルト５１上の多重トナー像が一括転写される。
【００３６】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００３７】
定着装置６０は、加熱モジュール６１と加圧モジュール６２を有し、加熱モジュール６１と加圧モジュール６２の圧接領域によって定着ニップ部Ｎ（定着領域）が形成される。
【００３８】
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ローラ対６８を介して排出ローラ対６９から画像形成装置１上面の排出トレイ１ａに排出される。
【００３９】
（２）電気的接続構造
図２は制御装置１０が取り付けられた筐体Ｆの斜視図、図３はシールドケース１１０の一例を示す斜視図、図４（ａ）はスコア線１０１ａが内面側に形成されたシールドケース１１０の断面模式図、（ｂ）はスコア線１０１ａが内面側に形成されたシールドケース１１０の断面模式図、図１１（ａ）は比較例に係るシールドケース２００を示す断面模式図、（ｂ）は比較例に係るシールドケース２００における電子機器へのアクセスを示す断面模式図である。
以下、図面を参照しながら取り付け体の着脱機構について説明する。
【００４０】
図２に示すように、電子機器の一例としての制御装置１０は、シールドケース１１０に収容されて、装置本体の筐体Ｆの一面側に固定配置されている。
シールドケース１１０は一面側が開口した収容部Ｒ（図３、図４  参照）を有し、収容部Ｒに制御装置１０を収容した状態で、遮蔽板１２０で覆われて遮蔽されている。
【００４１】
シールドケース１１０の外面部１１０Ａには、電気的接続構造の一例として開口を形成する切取部１０１と作用部１０２が形成されている。切取部１０１は、図４（ａ）に示すように、周囲に比べて厚さの薄くなった薄肉部としてのスコア線１０１ａで区画された領域であり、シールドケース１１０の内面側に形成されている。尚、スコア線１０１ａは、図４（ｂ）に示すように、シールドケース１１０の外面側に形成されても良い。
【００４２】
切取部１０１が、作用部１０２を基点としてスコア線１０１ａに沿って切り取られると、外面部１１０Ａに開口が形成され、画像形成装置１の保守時、或いは画像形成装置１の機能を拡張する拡張機器の装着時に、開口を通じて制御装置１０のコネクタＣにアクセスが可能となる。具体的には、電子機器の一例としての保守時の診断機器や拡張機器が開口を通じてコネクタＣに接続される。
【００４３】
図１１（ａ）は比較例に係るシールドケース２００を示す断面模式図、（ｂ）はシールドケース２００における開口の一例を示す図、図１２は比較例に係るシールドケース２００における電子機器へのアクセスを示す断面模式図である。
比較例のシールドケース２００は、全体が板厚ｔが０．８〜１．０ｍｍの金属板で構成され、外面部２００Ａには、電気的接続構造としての開口２１０が設けられている。開口２１０は、通常は蓋体２２０が外面部２００Ａにネジ止めされて塞がれている。
このように、電気的接続構造としての開口２１０が蓋体２２０で塞がれているシールドケース２００においては、蓋体２２０を取り外して開口２１０を露出させ、保守時の診断機器や拡張機器を開口２１０を通じて制御装置１０のコネクタＣに接続する。
【００４４】
また、シールドケース２００の外面部２００Ｂには、電気的接続構造としての開口２３０が設けられている。開口２３０は、図１１（ｂ）に示すように、シールドケース２００の外面部２００Ｂに開口２３０の形状に倣ったスリット２３０ａを設けて、その周辺の角部２３０ｂのみが外面部２００Ｂと繋がる状態で形成されている。
保守時の診断機器や拡張機器を制御装置１０に接続する際には、スリット２３０ａに所定の工具を差し込み、開口２３０になる部分を外面部２００Ｂから取り除いて開口２３０が形成される。
【００４５】
このような、比較例に係るシールドケース２００においては、板厚が０．８〜１．０ｍｍと比較的に厚肉の金属板を用いて、予め形成された開口２１０に蓋体２２０を取り付けて塞いだ状態で出荷されるために、画像形成装置１がコストアップするという問題があった。
また、図１１（ｂ）に示すように、スリット２３０ａで予め取り除き可能な開口２３０を形成する場合には、大きな開口２３０が必要とされる際にスリット２３０ａも長くなり、シールドケースの電磁シールド性が低下する虞があった。
【００４６】
「実施例」
図５（ａ）は実施例に係る電気的接続構造の一例として開口を形成する切取部１０１と作用部１０２を示す模式図、（ｂ）は切取部１０１の切り取りを示す断面模式図である。
シールドケース１１０は、全体が板厚ｔが０．５ｍｍ以下の薄板金属で構成され、電気的接続構造の一例として開口を区画する切取部１０１と、切取部１０１を切り取るために作用される作用部１０２が形成されている。
【００４７】
切取部１０１は、周囲に比べて厚さの薄くなったスコア線１０１ａで区画され、シールドケース１１０の外面部１１０Ａから容易に切り離すことができるようになっている。
作用部１０２は、図５（ａ）に示すように、切取部１０１の一端側に形成され、切取部１０１に向って幅広になるように切取部１０１に比べて小さく形成されている。これにより、切取部１０１に作用部１０２を作用させて切り取る際の操作力を小さくすることができる。
【００４８】
作用部１０２は、シールドケース１１０の外側から内部に向って貫通する貫通孔であり、貫通孔の一端には折り返し部１０２ａが形成され、周囲に比べて曲げ強度が大きくなるように形成されている。これにより、図５（ｂ）に示すように、工具Ｋ１で折り返し部１０２ａを支点Ｓとして貫通孔の他端を引き上げることによるテコ作用によって切取部１０１を外面部１１０Ａから比較的小さな力で切り取ることができ、切り取り操作を容易化することができる。
【００４９】
「変形例１」
図６（ａ）は変形例１に係る切取部１０１と作用部１０２Ａを示す図、（ｂ）は切取部１０１の切り取りを示す断面模式図である。
シールドケース１１０は、全体が厚さ０．５ｍｍ以下の薄板金属で構成され、電気的接続構造の一例として開口を区画する切取部１０１と、切取部１０１を切り取るために作用される作用部１０２Ａが形成されている。
【００５０】
作用部１０２Ａは、図６（ａ）に示すように、シールドケース１１０の外側から内部に向って貫通する貫通孔であり、貫通孔の一端に切り起こし部１０２Ａａが形成されている。
切取部１０１を切り取る際は、図６（ｂ）に示すように、先端部にスリット孔が設けられた工具Ｋ２で作用部１０２Ａの切り起こし部１０２Ａａを挟み込んで切り起こし部１０２Ａａの先端側を基点として巻き取ることによって切取部１０１を切り取るように構成されている。
これにより、切取部１０１を外面部１１０Ａから比較的小さな力で切り取ることができ、切り取り操作を容易化することができる。
【００５１】
「変形例２」
図７（ａ）は変形例２に係る切取部１０１と作用部１０２Ｂを示す図、（ｂ）は切取部１０１の切り取りを示す断面模式図である。
シールドケース１１０Ｂは、全体が厚さ０．５ｍｍ以下の薄板金属で構成され、電気的接続構造の一例として開口を区画する切取部１０１と、切取部１０１を切り取るために作用される作用部１０２Ｂが形成されている。
【００５２】
図７（ａ）示すように、作用部１０２Ｂを区画するためのスコア線１０２Ｂａが刻設された作用部１０２Ｂにリベット部１０３によってタブ１０４が固着されている。
タブ１０４は、作用部１０２Ｂの一端側が押し下げ部１０４ａとされるとともに、リベット部１０３を挟んで押し下げ部１０４ａとは反対側の端部が持ち上げ部１０４ｂとされている。
【００５３】
切取部１０１を切り取る際は、図７（ｂ）に示すように、持ち上げ部１０４ｂを引き上げることによってタブ１０４のテコ作用によって押し下げ部１０４ａにより作用部１０２Ｂを押し下げて切取部１０１を切り取るように構成されている。これにより、切取部１０１を外面部１１０Ａから比較的小さな力で切り取ることができ、切り取り操作を容易化することができる。
【００５４】
「変形例３」
図８（ａ）は変形例３に係る切取部１０１と作用部１０２Ｃを示す図、（ｂ）は切取部１０１の切り取りを示す断面模式図である。
シールドケース１１０Ｃは、全体が厚さ０．５ｍｍ以下の薄板金属で構成され、電気的接続構造の一例として開口を区画する切取部１０１と、切取部１０１を切り取るために作用される作用部１０２Ｃが形成されている。
【００５５】
図８（ａ）に示すように、作用部１０２Ｃは、シールドケース１１０Ｃの外側から内部に向って貫通する貫通孔であり、貫通孔の一端に切り起こし部１０２Ｃａが形成されている。
切取部１０１を切り取る際は、図８（ｂ）に示すように、貫通孔にテコとなる工具Ｋ３を差し込んで、切り起こし部１０２Ｃａを基点として巻き取ることによって切取部１０１を切り取るように構成されている。
これにより、切取部１０１を外面部１１０Ａから比較的小さな力で切り取ることができ、切り取り操作を容易化することができる。
【００５６】
「変形例４」
図９（ａ）は変形例４に係る切取部１０１Ａと作用部１０２を示す図、（ｂ）は切取部１０１Ａの切り取りを示す断面模式図である。
シールドケース１１０は、全体が厚さ０．５ｍｍ以下の薄板金属で構成され、電気的接続構造の一例として開口を区画する切取部１０１Ａと、切取部１０１Ａを切り取るために作用される作用部１０２が形成されている。
【００５７】
切取部１０１Ａの作用部１０２とは反対側となる一端には、切取部１０１Ａが切り取られて形成される開口を再度塞ぐ蓋部材を取り付けるための位置決め部１０１Ａａが設けられている。電気的接続構造として形成した開口を通じて制御装置１０に保守時の診断機器や拡張機器を接続した後、診断機器や拡張機器を取り外した場合には、電磁シールド性の低下を抑制する観点から開口は塞いだほうが好ましい。
変形例４に係る切取部１０１Ａによれば、形成した開口を再度塞ぐ蓋部材を位置決め部１０１Ａａを基準にして容易に取り付けることができる。
【００５８】
尚、作用部１０２は、図９（ａ）に示すようなシールドケース１１０の外側から内部に向って貫通する貫通孔の一端に折り返し部１０２ａが形成されている態様に限らず、変形例１ないし３に係る作用部１０２Ａ、１０２Ｂ、１０２Ｃの態様であっても良い。また、位置決め部１０１Ａａを特別に設けることなく、実施例１から変形例３で形成された開口の縁を利用して、開口を再度塞ぐ蓋部材を取り付けてもよい。
【００５９】
図１０は、切取部１０１を切り取って電気的接続構造としての開口を形成して電子機器としての制御装置１０に保守時の診断機器や拡張機器を接続した状態を示す断面模式図である。
シールドケース１１０全体を板厚０．５ｍｍ以下の金属板で形成し、シールドケース１１０の所定の場所に設けられたスコア線１０１ａで開口を区画する切取部１０１を作用部１０２を基点としてシールドケース１００から切り取ることで、図１０に示すように、電子機器としての保守時の診断機器や拡張機器を開口を通じてシールドケース１１０の内部に収容された制御装置１０に接続することができる。
【００６０】
シールドケース１１０は、薄板金属とすることで、全体を軽量化して低コスト化することができる。また、薄板金属とすることで、スコア線１０１ａで区画された切取部１０１は、作用部１０２を基点として、切り取り操作を容易化することができる。また、切取部１０１は、必要に応じて切り取られるまでは、シールドケース１１０と一体化されているために、開口やスリットを不要として電磁シールド性を向上させることができる。
【符号の説明】
【００６１】
１・・・画像形成装置
１０・・・制御装置
２０・・・給紙装置
３０・・・感光体ユニット
４０・・・現像ユニット
５０・・・転写装置
６０・・・定着装置
１００・・・電気接続構造
１１０・・・シールドケース
１０１、１０１Ａ・・・切取部
１０２、１０２Ａ、１０２Ｂ、１０２Ｃ・・・作用部
【図１】
2020009867.tif 000003
【図２】
2020009867.tif 000004
【図３】
2020009867.tif 000005
【図４】
2020009867.tif 000006
【図５】
2020009867.tif 000007
【図６】
2020009867.tif 000008
【図７】
2020009867.tif 000009
【図８】
2020009867.tif 000010
【図９】
2020009867.tif 000011
【図１０】
2020009867.tif 000012
【図１１】
2020009867.tif 000013
【図１２】
2020009867.tif 000014